(57)【要約】【課題】プリズム収容室の前後方向の寸法を短縮でき、前後方向の厚さをコンパクト化する上で有利なレンズ鏡筒および撮像装置を提供する。【解決手段】プリズム１６を、対物レンズ１４から反射面１６０４に至る第１の光路の光軸と、反射面１６０４により被写体像が撮像素子１５０側に向けて反射される第２の光路の光軸との双方の光軸を含む第１の第１の面Ｐ１に対して直交する方向に偏位して配置し、３つの第１位置決め用突起５８のうちの２つの突起５８を、偏位された側のプリズム外面１６０４Ａの外縁部で第１の光路の延在方向に沿った両端箇所に配置し、残りの１つの突起５８を、偏位された側とは反対の側のプリズム外面１６０４Ａの外縁部で第１の光路の延在方向に沿った中間箇所に配置する。【選択図】        図２
2006227234.tif 000002
【特許請求の範囲】
【請求項１】
鏡筒に設けられた対物レンズと、
前記対物レンズの後方に配設され前記対物レンズによって導かれた被写体像を撮像素子に向けて反射する反射面を有するプリズムと、
前記鏡筒に設けられ前記プリズムが取着されるプリズム収容室とを備え、
前記プリズムは、前記対物レンズから前記反射面に至る第１の光路の光軸と、前記反射面により前記被写体像が前記撮像素子側に向けて反射される第２の光路の光軸との双方の光軸を含む第１の面に対して直交する方向に偏位して配置され、
前記プリズム収容室に前記反射面の外側のプリズム外面に臨む第１の壁面が設けられ、
前記第１の壁面に前記反射面の外側のプリズム外面に当接可能な３つの第１位置決め用突起が設けられ、
前記３つの第１位置決め用突起のうちの２つの突起は、前記偏位された側の前記プリズム外面の外縁部で前記第１の光路の延在方向に沿った両端箇所に当接するように配置され、
前記３つの第１位置決め用突起のうちの残りの１つの突起は、前記偏位された側とは反対の側の前記プリズム外面の外縁部で前記第１の光路の延在方向に沿った中間箇所に当接するように配置されている、
ことを特徴とするレンズ鏡筒。
【請求項２】
前記プリズム外面は互いに対向する２組の辺を有する矩形を呈し、前記２組の辺のうちの一方の１組の辺が前記第１の光路の延在方向と平行するように配置され、前記２つの突起は、前記１組の辺のうち偏位された側の辺の両端箇所に当接するように配置され、前記残りの１つの突起は、前記１組の辺のうち前記偏位された側とは反対の側の辺の延在方向の中間箇所に当接するように配置されていることを特徴とする請求項１記載のレンズ鏡筒。
【請求項３】
前記プリズムは、前記反射面で反射された被写体像を撮像素子に向けて出射させる出射面を有し、
前記プリズム収容室は、前記出射面に臨み出射用開口が形成された第２の壁面を有し、
前記第２の壁面には、前記出射面に当接可能な２つの第２位置決め用突起が設けられ、
前記２つの第２位置決め用突起のうちの一方の突起は、前記偏位された側の前記出射面の外縁部で前記第１の光路の延在方向に沿った端部箇所に当接するように配置され、
前記２つの第２位置決め用突起のうちの他方の突起は、前記偏位された側とは反対の側の前記出射面の外縁部で前記第１の光路の延在方向に沿った中間箇所に当接するように配置されている、
ことを特徴とする請求項１記載のレンズ鏡筒。
【請求項４】
前記プリズムは、前記反射面で反射された被写体像を撮像素子に向けて出射させる出射面を有し、
前記プリズム収容室は、前記出射面に臨み出射用開口が形成された第２の壁面を有し、
前記第２の壁面には、前記出射面に当接可能な２つの第２位置決め用突起が設けられ、
前記２つの第２位置決め用突起のうちの一方の突起は、前記プリズムが偏位された側の前記第２の壁面の外縁部で前記第１の光路の延在方向に沿った前記外縁部の両端のうちの一方の端部から前記第１の光路の延在方向に沿って延在しその先部が、前記偏位された側の前記出射面の外縁部で前記一方の端部に対応する端部箇所に当接する突条として設けられ、
前記２つの第２位置決め用突起のうちの他方の突起は、前記プリズムが偏位された側とは反対側の前記第２の壁面の外縁部で前記第１の光路の延在方向に沿った前記外縁部の両端のうちの一方の端部から前記第１の光路の延在方向に沿って延在しその先部が、前記偏位された側とは反対の側の前記出射面の外縁部で前記第１の光路の延在方向に沿った中間箇所に当接する突条として設けられている、
ことを特徴とする請求項１記載のレンズ鏡筒。
【請求項５】
前記鏡筒は合成樹脂製であり、前記３つの第１位置決め用突起は前記第１の壁面に一体に設けられていることを特徴とする請求項１記載のレンズ鏡筒。
【請求項６】
前記鏡筒は合成樹脂製であり、前記２つの第２位置決め用突起は前記第２の壁面に一体に設けられていることを特徴とする請求項３または4記載のレンズ鏡筒。
【請求項７】
鏡筒に設けられた撮像素子と、前記鏡筒の内部で被写体像を前記撮像素子に導く光学系とを有するレンズ鏡筒を備える撮像装置であって、
前記レンズ鏡筒は、
前記鏡筒に設けられた対物レンズと、
前記対物レンズの後方に配設され前記対物レンズによって導かれた被写体像を前記撮像素子に向けて反射する反射面を有するプリズムと、
前記鏡筒に設けられ前記プリズムが取着されるプリズム収容室とを備え、
前記プリズムは、前記光学系の光路のうち前記対物レンズから前記反射面に至る第１の光路の光軸と、前記反射面により前記被写体像が前記撮像素子側に向けて反射される第２の光路の光軸との双方の光軸を含む第１の面に対して直交する方向に偏位して配置され、
前記プリズム収容室に前記反射面の外側のプリズム外面に臨む第１の壁面が設けられ、
前記第１の壁面に前記反射面の外側のプリズム外面に当接可能な３つの第１位置決め用突起が設けられ、
前記３つの第１位置決め用突起のうちの２つの突起は、前記偏位された側の前記プリズム外面の外縁部で前記第１の光路の延在方向に沿った両端箇所に当接するように配置され、
前記３つの第１位置決め用突起のうちの残りの１つの突起は、前記偏位された側とは反対の側の前記プリズム外面の外縁部で前記第１の光路の延在方向に沿った中間箇所に当接するように配置されている、
ことを特徴とする撮像装置。
【発明の詳細な説明】
【技術分野】
【０００１】
本発明はレンズ鏡筒および撮像装置に関する。
【背景技術】
【０００２】
デジタルスチルカメラなどの撮像装置のレンズ鏡筒として鏡筒に設けられた対物レンズと、対物レンズの後方に配設され対物レンズによって導かれた被写体像を撮像素子に向けて反射するプリズムと、鏡筒に設けられプリズムが取着されるプリズム収容室とを有するものがある。
このようなレンズ鏡筒として、プリズム収容室が対物レンズに臨む前部の箇所に、プリズム前端を係合させるための凹部を形成し、プリズムの前端をこの凹部に係合させることで、プリズムをプリズム収容室に取着するように構成したものが提案されている（特許文献１参照）。
【特許文献１】特開平１０−１０４１０号公報
【発明の開示】
【発明が解決しようとする課題】
【０００３】
しかしながら、このような従来技術では、プリズム収容室において、前記凹部の前方箇所にこの凹部を形成しまたこの凹部を補強するための壁部を設けなければならず、プリズム収容室の前後方向の寸法を短縮化し、撮像装置の前後方向の寸法の短縮化を図る上で不利があった。
本発明はこのような事情に鑑みなされたものであり、その目的は、プリズム収容室の前後方向の寸法を短縮でき、前後方向の厚さをコンパクト化する上で有利なレンズ鏡筒および撮像装置を提供することにある。
【課題を解決するための手段】
【０００４】
上述の目的を達成するため、本発明のレンズ鏡筒は、鏡筒に設けられた対物レンズと、前記対物レンズの後方に配設され前記対物レンズによって導かれた被写体像を撮像素子に向けて反射する反射面を有するプリズムと、前記鏡筒に設けられ前記プリズムが取着されるプリズム収容室とを備え、前記プリズムは、前記対物レンズから前記反射面に至る第１の光路の光軸と、前記反射面により前記被写体像が前記撮像素子側に向けて反射される第２の光路の光軸との双方の光軸を含む第１の面に対して直交する方向に偏位して配置され、前記プリズム収容室に前記反射面の外側のプリズム外面に臨む第１の壁面が設けられ、前記第１の壁面に前記反射面の外側のプリズム外面に当接可能な３つの第１位置決め用突起が設けられ、前記３つの第１位置決め用突起のうちの２つの突起は、前記偏位された側の前記プリズム外面の外縁部で前記第１の光路の延在方向に沿った両端箇所に当接するように配置され、前記３つの第１位置決め用突起のうちの残りの１つの突起は、前記偏位された側とは反対の側の前記プリズム外面の外縁部で前記第１の光路の延在方向に沿った中間箇所に当接するように配置されていることを特徴とする。
また、本発明は、鏡筒に設けられた撮像素子と、前記鏡筒の内部で被写体像を前記撮像素子に導く光学系とを有するレンズ鏡筒を備える撮像装置であって、前記レンズ鏡筒は、前記鏡筒に設けられた対物レンズと、前記対物レンズの後方に配設され前記対物レンズによって導かれた被写体像を前記撮像素子に向けて反射する反射面を有するプリズムと、前記鏡筒に設けられ前記プリズムが取着されるプリズム収容室とを備え、前記プリズムは、前記光学系の光路のうち前記対物レンズから前記反射面に至る第１の光路の光軸と、前記反射面により前記被写体像が前記撮像素子側に向けて反射される第２の光路の光軸との双方の光軸を含む第１の面に対して直交する方向に偏位して配置され、前記プリズム収容室に前記反射面の外側のプリズム外面に臨む第１の壁面が設けられ、前記第１の壁面に前記反射面の外側のプリズム外面に当接可能な３つの第１位置決め用突起が設けられ、前記３つの第１位置決め用突起のうちの２つの突起は、前記偏位された側の前記プリズム外面の外縁部で前記第１の光路の延在方向に沿った両端箇所に当接するように配置され、前記３つの第１位置決め用突起のうちの残りの１つの突起は、前記偏位された側とは反対の側の前記プリズム外面の外縁部で前記第１の光路の延在方向に沿った中間箇所に当接するように配置されていることを特徴とする。
【発明の効果】
【０００５】
本発明によれば、プリズムを、対物レンズから反射面に至る第１の光路の光軸と、反射面により被写体像が撮像素子側に向けて反射される第２の光路の光軸との双方の光軸を含む第１の面に対して直交する方向に偏位して配置し、３つの第１位置決め用突起のうちの２つの突起を、偏位された側のプリズム外面の外縁部で第１の光路の延在方向に沿った両端箇所に配置し、３つの第１位置決め用突起のうちの残りの１つの突起を、偏位された側とは反対の側のプリズム外面の外縁部で第１の光路の延在方向に沿った中間箇所に配置したので、プリズム外面においてプリズムを安定した状態で位置決めできることは無論のこと、３つの第１位置決め用突起を含むプリズム収容室の前後方向の寸法を短縮でき、撮像装置の前後方向の厚さをコンパクト化することが可能となる。
【発明を実施するための最良の形態】
【０００６】
プリズムを対物レンズから反射面に至る第１の光路の光軸と、反射面により被写体像が撮像素子側に向けて反射される第２の光路の光軸との双方の光軸を含む第１の面に対して直交する方向に偏位して配置し３つの第１位置決め用突起を配置することによって上記目的を実現した。
【実施例１】
【０００７】
次に本発明の実施例１について図面を参照して説明する。
本実施例では、本発明のレンズ鏡筒が撮像装置に組み込まれている場合について説明する。
図８は撮像装置を前方から見た斜視図、図９は撮像装置の正面図、図１０は撮像装置の背面図、図１１は撮像装置の平面図、図１２は撮像装置の制御系を示すブロック図である。
なお、本明細書において左右は、撮像装置を前方から見た状態でいうものとし、また、被写体側を前方といい、撮像素子側を後方という。
【０００８】
図８〜図１１に示すように、撮像装置１００はデジタルスチルカメラであり、外装を構成するケース１０２を有している。
ケース１０２の右側部には、図中二点鎖線で示すように、本発明に係るレンズ鏡筒１０が組み込まれている。
レンズ鏡筒１０は、図１２に示すように、鏡筒１２と、鏡筒１２に収容された撮像素子１５０と、鏡筒１２に収容され被写体像を撮像素子１５０に導く光学系１０４などを備えている。
光学系１０４は対物レンズ１４を備え、対物レンズ１４はケース１０２前面に設けられたレンズ窓１０３を介してケース１０２前方に臨んで配置されている。
ケース１０２の前面上部中央箇所には、撮影補助光を出射するフラッシュ１０６、セルフタイマーランプ１０８などが設けられている。
ケース１０２の前面にはバリア１１０が上下にスライド可能に設けられ、このバリア１１０は、図８、図９に示すようにレンズ窓１０３、フラッシュ１０６、セルフタイマーランプ１０８を前方に露出させる下限位置と、これらレンズ窓１０３、フラッシュ１０６、セルフタイマーランプ１０８を覆う上限位置とにスライドされる。
ケース１０２の上端面には、撮像を行うためのシャッタボタン１１２、前記撮影光学系のズームを調整するためのズーム操作スイッチ１１４が設けられている。
ケース１０２の左側面の上部には、電源のオンオフを行う電源スイッチ（不図示）が設けられている。
ケース１０２の後面には、撮像した映像を表示するディスプレイ１２０が設けられ、ディスプレイ１２０の側方に、静止画撮影モード、動画撮影モード、再生モードの切り換えを行なうためのモード切り換えスイッチ１２２や、ディスプレイ１２０上にメニューを表示させるためのメニュースイッチ１２４、ディスプレイ１２０上に表示されるメニューを選択するなどの操作を行うためのコントロールスイッチ１２６が設けられている。
また、ケース１０２の後面でディスプレイ１２０の下方に、ディスプレイ１２０上の表示のオンオフを行うための表示スイッチ１２８、画像サイズ切り換えスイッチ１３０などが設けられている。
【０００９】
図１２に示すように、撮像素子１５０は、光学系１０４によって結像された被写体像を撮像するＣＣＤやＣＭＯＳセンサなどで構成されている。
撮像素子１５０で撮像された像は撮像信号として画像処理部１５２に出力され、画像処理部１５２ではこの撮像信号に対して処理がなされることで静止画あるいは動画の画像データが生成され、メモリカード（記憶媒体）１５４に記録される。また、前記画像データは表示処理部１５６によりディスプレイ１２０に表示される。
さらに、撮像装置１００は、シャッタボタン１１２、シャッタボタン１１２、ズーム操作スイッチ１１４、前記電源スイッチ、モード切り換えスイッチ１２２、メニュースイッチ１２４、コントロールスイッチ１２６、表示スイッチ１２８、画像サイズ切り換えスイッチ１３０などの操作スイッチの操作に応じて、画像処理部１５２、表示処理部１５６などを制御するＣＰＵなどを含む制御部１５８を備えている。
【００１０】
図１３はレンズ鏡筒１０を前方から見た斜視図、図１４はレンズ鏡筒１０を後方の下方から見た斜視図である。
図１５はレンズ鏡筒１０の正面図、図１６はレンズ鏡筒１０の背面図、図１７（Ａ）は図１５のＡ矢視図、（Ｂ）は図１５のＢ矢視図、図１８（Ｃ）は図１５のＣ矢視図、（Ｄ）は図１５のＤ矢視図である。
図１９は図１３のＡＡ線断面図、図２０は図１３のＢＢ線断面図である。
図２１はレンズ鏡筒１０の一部の構成を示す分解斜視図、図２２はレンズ鏡筒１０の残りの構成を示す分解斜視図である。
図２３はズーム用可動レンズ群１８、フォーカス用可動レンズ群２０の斜視図である。
【００１１】
図１３〜図２２に示すように、光学系１０４は、上述の対物レンズ１４の他に、反射部材としてのプリズム１６と、ズーム用可動レンズ群１８と、フォーカス用可動レンズ群２０と、第１の固定レンズ群２２と、第２の固定レンズ群２４と、第３の固定レンズ群２６と、ズーム用可動レンズ群１８用の案内機構２８と、フォーカス用可動レンズ群２０用の案内機構３０とを含んでいる。
さらに、光学系１０４には、ズーム用可動レンズ群１８を移動させる駆動手段３２と、フォーカス用可動レンズ群２０を移動させる駆動手段３４とが設けられている。
【００１２】
図１３、図１４に示すように、鏡筒１２は、厚さと、厚さよりも大きな寸法の幅と、幅よりも大きな寸法の長さとを有する扁平な矩形板状を呈し、撮像素子１５０と光学系１０４とは鏡筒１２の幅方向の中央からやや幅方向の一側寄りの部分で鏡筒１２の長さ方向に沿って並べられて配置されている。
鏡筒１２は、長さ方向において分割された第１鏡筒分割体１２０２および第２鏡筒分割体１２０４と、これら２つの鏡筒分割体１２０２，１２０４の間に挟まれる第３鏡筒分割体１２０６とで構成され、鏡筒１２の長手方向の一方の半部に第１鏡筒分割体１２０２が位置し、鏡筒１２の長手方向方の他方の半部に第２鏡筒分割体１２０４が位置し、これら第１鏡筒分割体１２０２および第２鏡筒分割体１２０４の間に第３鏡筒分割体１２０８が介在されている。
なお、本実施例では、図８、図９に示すように、レンズ鏡筒１０（鏡筒１２）の長さ方向が上下方向に向けて配置されることから、鏡筒１２の上部に第１鏡筒分割体１２０２が位置し、鏡筒１２の下部に第２鏡筒分割体１２０４が位置し、鏡筒１２の上下方向の中央部に第３鏡筒分割体１２０８が位置している。そして、撮像装置１００のケース１０２の前面に平行する鏡筒１２の厚さ方向の一方の面が鏡筒１２の前面となり、ケース１０２の後面に平行する他方の面が鏡筒１２の後面となり、鏡筒１２の幅方向の一方の面が左側面となり、他方の面が右側面となる。
したがって、鏡筒１２は、その幅方向、長さ方向、厚さ方向を、撮像装置１００のケース１０２の左右方向、上下方向、前後方向のそれぞれに合致させた状態でケース１０２内部に配置されることになる。
また、本実施例では、これら第１、第２、第３鏡筒分割体１２０２、１２０４、１２０６は合成樹脂材料によって形成されている。
【００１３】
図１９、図２０、図２１に示すように、第１鏡筒分割体１２０２は前壁、後壁、左壁、右壁により扁平な直方体状に形成され、第１鏡筒分割体１２０２の内部には、断面が矩形で下面に開放状の部品収容空間１２０２Ａが設けられており、対物レンズ１４はその前面側にレンズ押え１４０２が位置し後面側に遮光枠１４０４が位置した状態で、第１鏡筒分割体１２０２の前面の上部に取着されている。
プリズム１６は、対物レンズ１４で捉えた像を下部に向けて（撮像素子１５０側に）反射させるものである。プリズム１６は、部品収容空間１２０２Ａで対物レンズ１４の後方に臨む箇所に配置されている。
本実施例では、被写体像を撮像素子１５０に導く光学系１０４の光路が、対物レンズ１４から後方に延在しプリズム１６の反射面に至る第１の光路部分と、プリズム１６の反射面から下方に延在し撮像素子１５０に至る第２の光路部分とで構成され、図１９において符号Ｏ１は第１の光路部分の光軸を示し、符号Ｏ２は第２の光路部分の光軸を示している。
【００１４】
第１の固定レンズ群２２とズーム用可動レンズ群１８とは、部品収容空間１２０２Ａ内でプリズム１６の下方に配置されている。
第１の固定レンズ群２２は、図２１に示すように、第１鏡筒分割体１２０２の取付部に組み込まれる第１の固定レンズ２２０２と、この第１の固定レンズ２２０２を前記取付部に固定させる押え部材（遮光枠を兼ねる）２２０４とで構成されている。
【００１５】
図１９、図２０、図２１に示すように、ズーム用可動レンズ群１８は、第１のズームレンズ１８０２と、互いに貼り合わされた第２、第３のズームレンズ１８０４、１８０５とで構成されている。
これら第１、第２、第３のズームレンズ１８０２、１８０４、１８０５はズーム用レンズ枠１８０６により支持されている。
ズーム用レンズ枠１８０６は、駆動手段３２によりメインガイド軸３８およびサブガイド軸４０に案内されつつそれらの光軸方向に沿って往復移動され、ズーム動作がなされる。
図２３に示すように、ズーム用レンズ枠１８０６は、第１、第２、第３のズームレンズ１８０２、１８０４、１８０５の周囲に位置しこれら第１、第２、第３のズームレンズ１８０２、１８０４、１８０５を保持する保持部１８１０と、この保持部１８１０から部品収容空間１２０２Ａ内の幅方向に延在する延在部１８１２とを有している。
延在部１８１２には、図２８、図２１に示すように、鏡筒１２の長手方向において互いに対向するフランジ１８１６、１８１６が設けられ、これらフランジ１８１６、１８１６には、同軸上にそれぞれ孔が設けられている。そして、それら孔に軸３６０２、３６０２が回転可能に挿入されることで、それらフランジ１８１６，１８１６の間に雌ねじ部材３６が鏡筒１２の長手方向に移動不能にかつ軸３６０２を支点に揺動可能に結合されている。この雌ねじ部材３６はスプリング３６０１により互いに閉じる方向に付勢された一対のアームを有し、それらアームの向かい合う面にそれぞれ雌ねじ３６０４が設けられている。
【００１６】
また、図２３に示すように、延在部１８１２には、ロッド挿通孔１８１４が設けられている。
ロッド挿通孔１８１４には、第１鏡筒分割体１２０２の長さ方向に延在する金属製のメインガイド軸３８が滑動可能に挿通されている。このメインガイド軸３８はその長さ方向の両端が第１鏡筒分割体１２０２の上面を構成する壁部と、第３鏡筒分割体１２０６の壁部とで支持されている。メインガイド軸３８は第１、第２、第３のズームレンズ１８０２、１８０４、１８０５の光軸と平行に直線状に延在しており、本実施例では第１鏡筒分割体１２０２の長さ方向に延在している。したがって、メインガイド軸３８はズーム用可動レンズ群１８を該ズーム用可動レンズ群１８の光軸方向に案内している。
また、図２３に示すように、延在部１８１２とは反対側に位置する保持部１８１０の箇所で部品収容空間１２０２Ａの隅部に位置する箇所に係合溝１８１８が形成されている。
係合溝１８１８には、第１鏡筒分割体１２０２の長さ方向に延在するサブガイド軸４０（図２１）が滑動可能に挿通されている。したがって、サブガイド軸４０はズーム用レンズ１８がメインガイド軸３８の回りに回転することを阻止している。サブガイド軸４０は第１、第２、第３のズームレンズ１８０２、１８０４、１８０５の光軸と平行に直線状に延在しており、本実施例では第１鏡筒分割体１２０２の長さ方向に延在している。
ズーム用可動レンズ群１８用の案内機構２８は、これらメインガイド軸３８とサブガイド軸４０によって構成されている。
【００１７】
図２１、図２３に示すように、ズーム用可動レンズ群１８を移動させる駆動手段３２は、鏡筒１２の長さ方向に延在するホルダ３２０２と、ホルダ３２０２の上部に設けられたモータ３２０４と、ホルダ３２０２に沿って延在しモータ３２０４により回転駆動される雄ねじ部材３２０６とを有している。
ホルダ３２０２は第１鏡筒分割体１２０２の右側面の欠部に取着され、これにより雄ねじ部材３２０６が部品収容空間１２０２Ａに位置し、モータ３２０４は第１鏡筒分割体１２０２の上面に位置する。
雄ねじ部材３２０６は雌ねじ部材３６の雌ねじ３６０４に螺合され、したがってモータ３２０４の正逆転によりズーム用可動レンズ群１８はメインガイド軸３８およびサブガイド軸４０に案内されつつそれらの光軸方向に沿って往復移動され、ズーム動作がなされる。
本実施例では、ズーム用可動レンズ群１８とメインガイド軸３８と雄ねじ部材３２０６とが第１鏡筒分割体１２０２の内部で第１鏡筒分割体１２０２の幅方向に並べられて配置され、サブガイド軸４０はメインガイド軸３８および雄ねじ部材３２０６とは反対側に位置するズーム用レンズ枠１８０６箇所に配置されることになる。
【００１８】
図１９、図２０、図２１に示すように、第３鏡筒分割体１２０６は、部品収容空間１２０２Ａ内に臨む内部部分１２０６Ａと、部品収容空間１２０２Ａの外側に臨む外部部分１２０６Ｂとを有している。
図２１に示すように、第２の固定レンズ群２４は、その光軸をズーム用可動レンズ群１８の光軸と一致させて内部部分１２０６Ａに取着され、第２固定レンズ２４の後面にアイリス（絞り）４２が配置されている。
このアイリス４２は、光学系１０４の光軸を前記幅方向で挟んで配置された２枚の絞り羽根４２０２と、各絞り羽根４２０２を前記幅方向に移動可能に案内する案内部材４２０４とを備えている。
アイリス４２は、第３鏡筒分割体１２０６の外部部分１２０６Ｂに取着された駆動部４４により２枚の絞り羽根４２０２が接離する方向に移動されることで、２枚の絞り羽根４２０２が開閉されこれにより前記光軸に沿って進行する光束の光量を調節するように構成されている。
【００１９】
図２２に示すように、第２鏡筒分割体１２０４は、前壁１２０５Ａ、後壁１２０５Ｂ、左壁１２０５Ｃ、右壁１２０５Ｄにより直方体状に形成され、第２鏡筒分割体１２０４の内部には、断面が矩形で上下に開放された部品収容空間１２０４Ａが形成されている。
第２鏡筒分割体１２０４の下部に撮像素子取付板４６が取着され、撮像素子取付板４６が取着されることで部品収容空間１２０４Ａの下端は閉塞されている。したがって、本実施例では、第２鏡筒分割体１２０４は撮像素子取付板４６を含んで構成されている。
フォーカス用可動レンズ群２０と第３の固定レンズ群２６は、部品収容空間１２０４Ａ内に配置されている。
【００２０】
図２２に示すように、フォーカス用可動レンズ群２０は、互いに貼り合わされた第１、第２のフォーカスレンズ２００２、２００４で構成されている。
これら第１、第２のフォーカスレンズ２００２、２００４は、フォーカス用レンズ枠２００６により支持されている。
フォーカス用レンズ枠２００６は、駆動手段３４によりメインガイド軸５０およびサブガイド軸５２に案内されつつそれらの光軸方向に沿って往復移動され、フォーカス動作がなされる。
図２３に示すように、フォーカス用レンズ枠２００６は、第１、第２のフォーカスレンズ２００２、２００４の周囲に位置しこれら第１、第２のフォーカスレンズ２００２、２００４を保持する保持部２０１０と、この保持部２０１０から部品収容空間１２０４Ａ内の幅方向に延在する延在部２０１２とを有している。
延在部２０１２には、図２２に示すように、鏡筒１２の長手方向において互いに対向するフランジ２０１６、２０１６が設けられ、これらフランジ２０１６、２０１６には、同軸上にそれぞれ孔が設けられている。そして、それら孔に軸４８０２，４８０２が回転可能に挿入されることで、それらフランジ２０１６、２０１６の間に雌ねじ部材４８が鏡筒１２の長手方向に移動不能にかつ軸４８０２を支点に揺動可能に結合されている。この雌ねじ部材４８はスプリング４８０１により互いに閉じる方向に付勢された一対のアームを有し、それらアームの向かい合う面にそれぞれ雌ねじ４８０４が設けられている。
【００２１】
また、図２２に示すように、延在部２０１２には、ロッド挿通孔２０１４が設けられている。
図２２、図２３に示すように、ロッド挿通孔２０１４には、金属製のメインガイド軸５０が滑動可能に挿通されている。このメインガイド軸５０はその長さ方向の両端が第３鏡筒分割体１２０６の壁部と、第２鏡筒分割体１２０４の下部に設けられた壁部とで支持されている。メインガイド軸５０は第１、第２のフォーカスレンズ２００２、２００４の光軸と平行して直線状に延在しており、本実施例では第２鏡筒分割体１２０４の長さ方向に延在している。したがって、メインガイド軸５０はフォーカス用可動レンズ群２０を該フォーカス用可動レンズ２８の光軸方向に案内している。
また、図２３に示すように、延在部２０１２とは反対側に位置する保持部２０１０に係合溝２０１８が形成されている。
係合溝２０１８には、サブガイド軸５２（図２２）が滑動可能に挿通されている。したがって、サブガイド軸５２はフォーカス用レンズ２０がメインガイド軸５０の回りに回転することを阻止している。サブガイド軸５２は第２鏡筒分割体１２０４と一体に形成されており、したがって、合成樹脂製である。サブガイド軸５２は第１、第２のフォーカスレンズ２００２、２００４の光軸と平行に直線状に延在しており、本実施例では第２鏡筒分割体１２０４の長さ方向に延在している。
フォーカス用可動レンズ群２０用の案内機構３０は、これらメインガイド軸５０とサブガイド軸４０によって構成されている。
【００２２】
図２２、図２３に示すように、フォーカス用可動レンズ群２０を移動させる駆動手段３４は、鏡筒１２の長さ方向に延在するホルダ３４０２と、ホルダ３４０２の下部に設けられたモータ３４０４と、ホルダ３４０２に沿って延在しモータ３４０４により回転駆動される雄ねじ部材３４０６とを有している。
ホルダ３４０２は第２鏡筒分割体１２０４の右側面の欠部に取着され、これにより雄ねじ部材３４０６が部品収容空間１２０４Ａに位置し、モータ３４０４は第２鏡筒分割体１２０４の下部に位置する。
雄ねじ部材３４０６は雌ねじ部材４８の雌ねじ４８０４に螺合され、したがってモータ３４０４の正逆転によりフォーカス用可動レンズ群２０はメインガイド軸５０およびサブガイド軸５２に案内されつつそれらの光軸方向に沿って往復移動され、フォーカス動作がなされる。
したがって、本実施例では、フォーカス用可動レンズ群２０とメインガイド軸５０と雄ねじ部材３４０４とが第２鏡筒分割体１２０４の内部で第２鏡筒分割体１２０４の幅方向に並べられて配置され、サブガイド軸５２はメインガイド軸５０および雄ねじ部材３０６とは反対側に位置するフォーカス用レンズ枠２００６箇所に配置されることになる。
【００２３】
図２２に示すように、撮像素子取付板４６は、部品収容空間１２０４Ａの下端を閉塞するように第２鏡筒分割体１２０４の下部にねじ２０６、２０６によって取着されている。
撮像素子１５０は、撮像素子取付板４６が部品収容空間１２０４Ａに臨む内面に配置されている。
本実施例では撮像素子取付板４６に矩形の窓４６０２が設けられ、この窓４６０２に撮像素子１５０が嵌め込まれて配置され、撮像素子取付板４６の内面で撮像素子１５０の上面にシールガラス４６０４、シールゴム４６０６およびローパスフィルタ４６０８が配置され、押さえ板４６１０によって固定されている。
【００２４】
なお、図１９に示すように、部品収容空間１２０４Ａに臨む第２鏡筒分割体１２０４の前面箇所および後面箇所で第２鏡筒分割体１２０４Ａの上端と第３の固定レンズ群２６との間の箇所には凹凸部１２０４Ｃが設けられている。
また、部品収容空間１２０４Ａに臨む第２鏡筒分割体１２０４の前面箇所および後面箇所で第３の固定レンズ群２６と撮像素子１５０との間の箇所には凹凸部１２０４Ｄが設けられている。
これらの凹凸部１２０４Ｃ、１２０４Ｄは、対物レンズ１４、プリズム１６、第１の固定レンズ群２２、ズーム用可動レンズ群１８、第２固定レンズ２４、フォーカス用可動レンズ群２０を介して進入してきた光のうち、部品収容空間１２０４Ａに臨む第２鏡筒分割体１２０４の前面箇所および後面箇所に到達した光が該後面箇所で反射されることで、いわゆるフレアあるいはゴーストと呼ばれる反射光が発生し、この反射光が撮像素子１５０の受光面に到達して撮像素子１５０の撮像信号に対して悪影響を及ぼすことを防止するために設けられている。
なお、撮像素子１５０から遠い箇所に設けられた凹凸部１２０４Ｃの凹凸の間隔に対して撮像素子１５０から近い箇所に設けられた凹凸部１２０４Ｄの凹凸の間隔が大きく形成されている。これは、凹凸部１２０４Ｃに当たる前記光の角度に対して凹凸部１２０４Ｄに当たる前記光の角度がより小さいためであり、このように凹凸部１２０４Ｃ、１２０４Ｄの凹凸の間隔を変えることで、第２鏡筒分割体１２０４の成形時に金型からの取り外し性が向上される利点がある。
【００２５】
図１９に示すように、第３の固定レンズ群２６は、撮像素子１５０の上方でフォーカス用可動レンズ群２０の下方の部品収容空間１２０４Ａ箇所に配置されている。
なお、図２２に示すように、第１鏡筒分割体１２０２と第２鏡筒分割体１２０４と第３鏡筒分割体１２０６とは、前記駆動部４４近傍の箇所でねじ２０２により互いに取着され、かつ、前記駆動部３４近傍の箇所でねじ２０４により互いに取着されている。
【００２６】
次に、ズーム用可動レンズ群１８の光軸を、プリズム１６の反射面から撮像素子１５０に至る第２の光路部分の光軸Ｏ２に合致させる調整機構について説明する。
図２４は軸受け部材を上方から見た斜視図、図２５は軸受け部材を下方から見た斜視図である。
図２６（Ａ）は軸受け部材の平面図、（Ｂ）は（Ａ）のＢＢ線断面図、（Ｃ）は（Ｂ）のＣ矢視図である。
図２７（Ａ）〜（Ｄ）は軸受け部材の説明図で、上側の図が断面図を示し、下側の図が底面図である。
図２８はレンズ鏡筒の一部を破断した斜視図である。
図２９は孔部の斜視図、図３０は軸受け部材が孔部に収容された状態を示す斜視図、図３１は軸受け部材が孔部に収容された状態を示す断面図である。
図３２、図３３はメインガイド軸３８の傾きの調整操作の説明図である。
【００２７】
上述のように、ズーム用可動レンズ群１８はズーム用レンズ枠１８０６で保持され、ズーム用レンズ枠１８０６はメインガイド軸３８に沿って直線移動可能に案内され、また、ズーム用レンズ枠１８０６はサブガイド軸４０によってメインガイド軸３８回りの回転が阻止されている。
また、メインガイド軸３８はその長さ方向の両端が第１鏡筒分割体１２０２の上面を構成する壁部と、第３鏡筒分割体１２０６の壁部とで支持されている。
一方、ズーム用レンズ枠１８０６には許容範囲内での加工誤差があり、ズーム用レンズ枠１８０６とズーム用可動レンズ群１８との組み立てにも許容範囲内での組み立て誤差がある。
そのため、ズーム用可動レンズ群１８の光軸が第２の光路部分の光軸Ｏ２に対して許容値を越えて傾斜してしまう場合がある。
また、第１鏡筒分割体１２０２や第３鏡筒分割体１２０６にも許容範囲内での加工誤差があり、また、レンズ鏡筒１０には許容範囲内での組み立て誤差がある。
そのため、メインガイド軸３８が第２の光路部分の光軸Ｏ２に対して傾斜し、これによりズーム用可動レンズ群１８の光軸が第２の光路部分の光軸Ｏ２に対して許容値を越えて傾斜してしまう場合もある。
このようにズーム用可動レンズ群１８の光軸が第２の光路部分の光軸Ｏ２に対して許容値を越えて傾斜すると、撮像素子１５０の撮像面に結像される被写体像において部分的に生じる焦点ぼけ、いわゆる片ボケの原因となる。
したがって、ズーム用可動レンズ群１８の光軸を第２の光路部分の光軸Ｏ２に合致させる調整作業が必要となる。
【００２８】
ズーム用可動レンズ群１８の光軸を第２の光路部分の光軸Ｏ２に合致させる調整は、メインガイド軸３８の長さ方向の一方の端部（上端）において上述のメインガイド軸３８の傾きを調整することによってなされる。
すなわち、図２０に示すように、メインガイド軸３８の上端は、第１鏡筒分割体１２０２の壁部に取着された軸受け部材５４により支持されている。
図２４乃至図２６に示すように、軸受け部材５４は、第１鏡筒分割体１２０２の外側から第１鏡筒分割体１２０２の壁部の孔部１２５０（図２９乃至図３１、図２０参照）に装脱可能に装着される軸部５４０２と、軸部５４０２に設けられメインガイド軸３８の上端が挿入される軸受け孔５４０４と、孔部１２５０の断面よりも大きな輪郭を有し第１鏡筒分割体１２０２の壁部の外面に当接されるつば部５４０６と、つば部５４０６の上面につば部５４０６と同軸上に突設された断面が多角形の多角形部５４０８と、多角形部５４０８の上面に突設された上端部５４１０とを有している。
【００２９】
軸部５４０２は、円柱状に形成されその外周面の下部に下端に至るに従って半径が次第に小さくなるようにテーパー面５４０３が形成されている。
軸受け孔５４０４は軸部５４０２の中心軸に平行に形成されており、軸受け孔５４０４の中心軸線が軸部５４０２の中心軸線に対して偏心するように設けられている。
図２５に示すように、本実施例では、軸受け孔５４０４は、互いに９０度をなす平面視略正方形をなす４つの平坦面で構成されている。したがって、軸受け孔５４０４にメインガイド軸３８の上端を挿入すると、メインガイド軸３８の外周面に対して理論的には前記４つの平坦面が線接触することになり、軸受け孔５４０４とメインガイド軸３８の上端が高い精度で同軸上に配設されることになる。
上端部５４１０は、平面視した場合に細長形状に形成されており、先端面にマイナスドライバなどの工具挿入用の溝５４１２（特許請求の範囲の工具の係合溝）が形成され、また、周面に軸受け部材５４の回転角度を視認するための凹凸からなる指標部５４１４が形成されている。
さらに、溝５４１２の内側には、図２６（Ａ）、（Ｂ）に示すように、軸受け孔５４０４に貫通させてピン挿通孔５４１６が形成されている。
【００３０】
次に、軸受け部材５４が配設される第１鏡筒分割体１２０２の壁部の孔部１２５０およびその周辺について説明する。
図２９、図３１に示すように、軸部５４０２が挿入される孔部１２５０は、軸部５４０２の外径よりも大きい寸法の内径で形成された内周面１２５２と、内周面１２５２の周方向に等間隔をおいて形成され軸部５４０２の外周面に係合可能な複数の平坦面１２５４で構成され、複数の平坦面１２５４が軸部５４０２の外周面に係合することで、孔部１２５０の中心軸と軸部５４０２の中心軸とが高い精度で合致するように図られている。
前記内周面１２５２の上端には、つば部５４０６が載置される環状の載置面１２５６が形成されている。
また、載置面１２５６の外周に沿って凹溝１２５７が形成され、この凹溝１２５７は後述するように接着剤充填用凹部１２５８に充填された接着剤の余剰分を切り欠き１２８０へ導いて逃がすためのものである。
載置面１２５６の半径方向外方箇所には、すなわち、凹溝１２５７の外周部には載置面１２５６の周方向に間隔をおいて接着剤充填用凹部１２５８が形成されている。
孔部１２５０および載置面１２５６並びに凹溝１２５７の上方には小径孔部１２７０が形成され、小径孔部１２７０の上部に傾斜孔部１２７２が形成されている。本実施例では、小径孔部１２７０と傾斜孔部１２７２により特許請求の範囲の凹部が構成されている。
小径孔部１２７０は、載置面１２５６の外周から起立する円筒面１２７４を有し、円筒面１２７４には周方向に間隔をおいて前記接着剤充填用凹部１２５８が設けられている。
傾斜孔部１２７２は、周方向に等間隔をおいて設けられ小径孔部１２７０に近づくにつれて小径孔部１２７０の軸心に近づく傾斜面１２７６と、それら傾斜面１２７６の間に設けられた湾曲面１２７８とで構成されている。
傾斜孔部１２７２には、切り欠き１２８０が設けられ、凹溝１２５７はこの切り欠き１２８０に接続されている。
なお、図３１に示すように、メインガイド軸３８の上端は、第１鏡筒分割体１２０２の大径孔１２６４を通って軸受け部材５４の軸受け孔５４０４に挿入される。
また、メインガイド軸３８の下端は、従来公知の構造により例えば第３鏡筒分割体１２０４の壁部の孔１２９０（図２０）に挿入されることで取着されている。
【００３１】
ズーム用可動レンズ群１８の光軸調整は、次のように行われる。
まず、図２７（Ａ）に示すように、軸受け部材５４として、軸受け孔５４０４の中心軸線が軸部５４０２の中心軸線と合致した基準の軸受け部材５４と、図２７（Ｂ）乃至（Ｄ）に示すように、軸受け孔５４０４の中心軸線が軸部５４０２の中心軸線に対して偏心している軸受け部材５４を用意する。この場合、軸受け孔５４０４の中心軸線と軸部５４０２の中心軸線との偏心量Ｅが互いに異なる複数種類の軸受け部材５４を用意する。
【００３２】
次に、図３２に示すように、基準の軸受け部材５４を用いてレンズ鏡筒１０を組み立てる。
この際、光学系１０４のうち、ズーム用可動レンズ群１８を除く残りの対物レンズ１４、フォーカス用可動レンズ群２０、第１の固定レンズ群２２、第２の固定レンズ群２４、第３の固定レンズ群２６については光軸調整が行われる。
そして、対物レンズ１４の前方に従来公知の調整用のチャートを配置してこのチャートの画像を光学系１４によって撮像素子１５０の撮像面上に結像させ、撮像素子１５０から出力される撮像信号に基づいて前記チャートの画像を解析し、撮像素子１５０に結像されたチャートの画像の片ボケを測定する。このような片ボケを測定する評価値としては、ＭＴＦデフォーカスカーブを用いる他、従来公知のさまざまな評価値を採用することができる。
このような評価値に基づいて、第２の光路部分の光軸Ｏ２に対するズーム可動レンズ群１８の傾斜角度ｅを算出する。
第２の光路部分の光軸Ｏ２とズーム可動レンズ群１８の光軸とを合致させるためには、傾斜角度ｅと反対の向きに同じ角度だけメインガイド軸３８を傾斜させればよいことになる。
したがって、傾斜角度ｅを打ち消すために必要な軸受け部材５４の偏心量も傾斜角度ｅに対応して決定される。
【００３３】
次に、上記の偏心量に対応した偏心量Ｅを有する軸受け部材５４を選択する。
そして、ピン挿通孔５４１６からピンを挿入してメインガイド軸３０の上端を基準の軸受け部材５４の軸受け孔５４０４から外しつつ基準の軸受け部材５４の軸部５４０２を第１鏡筒分割体１２０２の壁部の孔部１２５０から取り外し、図３３示すように、偏心量Ｅを有する軸受け部材５４の軸部５４０２を孔部１２５０に挿入する。
続いて、軸受け部材５４の溝５４１２にマイナスドライバーなどの工具を挿入して軸受け部材５４を回転させ、前述した評価値によって示される片ボケが解消されるように指標部５４１４を視認しつつメインガイド軸３０の傾斜を調整する。これにより、第２の光路部分の光軸Ｏ２とズーム可動レンズ群１８とが合致される。
なお、本実施例のように、光学系１０４がズーム可動レンズ群１８を光軸方向に移動させることでズーム動作を行うものでは、ズーム可動レンズ群１８がテレ端（望遠端）に位置した状態では、第２の光路部分の光軸Ｏ２に対するズーム可動レンズ群１８の傾きが片ボケに与える影響が極めて大きい反面、ズーム可動レンズ群１８がワイド端（広角端）に位置した状態では、第２の光路部分の光軸Ｏ２に対するズーム可動レンズ群１８の傾きが片ボケに与える影響はほとんど無視できることになる。
したがって、本実施例では、この光学特性を利用して、ズーム可動レンズ群１８がテレ端（望遠端）に位置した状態での光学性能を基準にして上述した調整作業を行う。
したがって、上述した調整作業は、ズーム可動レンズ群１８がテレ端（望遠端）に位置した状態で行う。
また、図３３に示すように、軸受け部材５４によってメインガイド軸３８の傾斜を調整することによって、テレ端において第２の光路部分の光軸Ｏ２とズーム可動レンズ群１８とを一致させることができるが、ワイド端においては第２の光路部分の光軸Ｏ２に対してズーム可動レンズ群１８の光軸がずれてしまう場合もある。しかしながら、ズーム可動レンズ群１８がワイド端に位置した状態では、このような第２の光路部分の光軸Ｏ２に対するズーム可動レンズ群１８の光軸のずれが片ボケに与える影響はほとんど無視できる。
なお、第２の光路部分の光軸Ｏ２に対するズーム可動レンズ群１８の傾斜角度ｅが許容値以下の場合、偏心量Ｅを有する軸受け部材５４を選択することなく、基準の軸受け部材５４がそのまま紫外線硬化型接着剤により接着される。
【００３４】
上述のように調整作業が終了したならば、図３０に示すように、つば部５４０６、多角形部５４０８、上端部５４１０の外側で小径孔部１２７０および傾斜孔部１２７２の内側に紫外線硬化型接着剤を充填し、紫外線を照射して硬化させ、これにより組み立てが完了する。
この場合、軸受け部材５４は多角形部５４０８を有しているので、多角形部５４０８が紫外線硬化型接着剤中に埋設されることで、軸受け部材５４の孔部１２５０の中心軸回りの回転が効果的に阻止される。
【００３５】
このような構成にすると、メインガイド軸３８の上端を支持する軸受け部材５４は、第１鏡筒分割体１２０２の外側から孔部１２５０に装脱可能に挿入される軸部５４０２と、軸部５４０２の中心軸線に対して偏心した中心軸線を有する軸受け孔５４０４とを有し、メインガイド軸３８の上端は上記の軸受け孔５４０４で支持されるので、実施例のように軸受け孔５４０４の中心軸線と軸部５４０２の中心軸線との偏心量Ｅが異なる複数種類の軸受け部材５４を用意することで、ズーム用可動レンズ群１８の光軸調整を簡単にしかも確実に行うことが可能となる。
また、偏心量Ｅの異なる軸受け部材５４を選択し第１鏡筒分割体１２０２の外側から組み付けることでズーム用可動レンズ群１８の光軸調整がなされるので、従来のような複雑な機構を省略でき、また、大きなスペースを要せず、したがって、レンズ鏡筒の部品点数の削減、コストダウン、小型化を図る上で有利となる。
【００３６】
次に本発明の要部であるプリズムの取り付け構造について説明する。
図１はプリズム収容室の斜視図である。
図２はプリズム収容室の説明図で、中央の図が断面図であり、左側の図が正面図を示し、右上側の図が斜め後方から見た図であり、下側の図が底面図である。
図３はプリズム収容室の断面図、図４は図３のＡ矢視図、図５は図３のＢＢ線断面図である。
【００３７】
上述のように、プリズム１６は、対物レンズ１４で捉えた像を撮像素子１５０側に反射させるものであり、第１鏡筒分割体１２０２の部品収容空間１２０２Ａで対物レンズ１４の後方に臨む箇所に配置されている。
プリズム１６は、空気との境界面において全反射を生じさせる所定の絶対屈折率を有するガラスあるいは合成樹脂などからなる光学材料で構成され、３つの側面と２つの端面１６０８、１６０８を有する三角柱状を呈している。
前記３つの側面のうちの1つの側面は、対物レンズ１４に臨む入射面１６０２として用いられる。
前記３つの側面のうちの1つの側面は、対物レンズ１４によって導かれた被写体像を撮像素子１５０に向けて全反射する反射面１６０４として用いられる。
前記３つの側面のうち、残りの１つの側面は、反射面１６０４で反射された被写体像を撮像素子１５０に向けて出射される出射面１６０６として用いられる。
ここで、図２に示すように、対物レンズ１４から反射面１６０４に至る第１の光路の光軸Ｏ１と、反射面１６０４により被写体像が撮像素子１５０側に向けて反射される第２の光路の光軸Ｏ２との双方の光軸を含む面を第１の面Ｐ１とすると、反射面１６０４、出射面１６０６を構成するプリズム１６外面は互いに対向する２組の辺を有する矩形を呈し、２組の辺のうちの一方の１組の辺が第１の面Ｐ１と平行する面上を延在するように配置されている。
【００３８】
図１、図１９に示すように、部品収容空間１２０２Ａにはプリズム１６が取着されるプリズム収容室５６が設けられている。
プリズム収容室５６には、第１の壁面５６０２と、第２の壁面５６０４と、２つの第３の壁面５６０６と、反射面１６０４の外側のプリズム外面１６０４Ａに当接可能な３つの第１位置決め用突起５８と、出射面１６０６の外側のプリズム外面１６０６Ａに当接可能な２つの第２突起６０と、少なくとも一方の端面１６０８に当接可能な複数の第３突起６２とが設けられている。
第１の壁面５６０２は、第１鏡筒分割体１２０２Ａの壁部によって構成されており、反射面１６０４の外側のプリズム外面１６０４Ａに臨むように設けられている。
第２の壁面５６０４は、第１鏡筒分割体１２０２Ａの壁部によって構成され、プリズム外面１６０６Ａに臨むように設けられ、第２の壁面５６０４には出射用開口５６０８が形成されている。
第３の壁面５６０６は、第１鏡筒分割体１２０２Ａの壁部によって構成されており、２つの端面１６０８，１６０８に臨むように設けられている。
第３の壁面５６０６には、図１に示すように、該第３の壁面を構成する第１鏡筒分割体１２０２の壁部の外側から第３の壁面５６０６に対して接着剤を充填するための孔５６０７が設けられている。
【００３９】
図２に示すように、プリズム１６は、対物レンズ１４から反射面１６０４に至る第１の光路の光軸Ｏ１と、反射面１６０４により被写体像が撮像素子１５０側に向けて反射される第２の光路の光軸Ｏ２との双方の光軸を含む第１の面Ｐ１に対して直交する方向に偏位して配置されている。
より詳細には、プリズム１６は、対物レンズ１４から反射面１６０４に至る第１の光路の光軸Ｏ１と、反射面１６０４により被写体が撮像素子１５０側に向けて反射される第２の光路の光軸Ｏ２との双方の光軸を含む第１の面Ｐ１に対して直交する方向に延在する長さを有している。そして、プリズム１６の長さ方向の中心が、対物レンズ１４から反射面１６０４に至る第１の光路の光軸Ｏ１と、反射面１６０４により被写体が撮像素子１５０側に向けて反射される第２の光路の光軸Ｏ２との双方の光軸を含む第１の面Ｐ１に対して直交する方向に偏位して配置されている。
図２、図３、図４に示すように、３つの第１位置決め用突起５８のうちの２つの突起５８は、偏位された側のプリズム外面１６０４Ａの外縁部で第１の光路の延在方向に沿った両端箇所に当接するように配置されている。
３つの第１位置決め用突起５８のうちの残りの１つの突起５８は、偏位された側とは反対の側のプリズム外面１６０４Ａの外縁部で第１の光路の延在方向に沿った中間箇所に当接するように配置されており、本実施例では、前記残りの１つの突起５８はプリズム外面１６０４Ａの外縁部の延在方向の中心よりも出射面１６０６寄り（後方寄り）の箇所に当接するように配置されている。
【００４０】
図２、図３、図５に示すように、２つの第２位置決め用突起６０は、第２の壁面５６０６に設けられている。
２つの第２位置決め用突起６０のうちの一方の突起６０Ａは、偏位された側の出射面１６０６の外縁部で第１の光路の延在方向に沿った端部箇所に当接するように配置されている。
２つの第２位置決め用突起６０のうちの他方の突起６０Ｂは、偏位された側とは反対の側の出射面１６０６の外縁部で第１の光路の延在方向に沿った中間箇所に当接するように配置されている。
本実施例では、２つの第２位置決め用突起６０のうちの一方の突起６０Ａは、プリズム１６が偏位された側の第２の壁面５６０６の外縁部で第１の光路の延在方向に沿った外縁部の両端のうちの一方の端部から第１の光路の延在方向に沿って延在しその先部が、偏位された側の出射面１６０６の外縁部で一方の端部に対応する端部箇所に当接する突条として設けられている。
また、２つの第２位置決め用突起６０のうちの他方の突起６０Ｂは、プリズム１６が偏位された側とは反対側の第２の壁面５６０６の外縁部で第１の光路の延在方向に沿った外縁部の両端のうちの一方の端部から第１の光路の延在方向に沿って延在しその先部が、偏位された側とは反対の側の出射面１６０６の外縁部で第１の光路の延在方向に沿った中間箇所に当接する突条として設けられている。
なお、一方の突起６０Ａよりも他方の突起６０Ｂの方が大きい寸法の長さで延在形成されている。
また、図２、図４において、符号Ａ１、Ａ２，Ａ３はプリズム１６を通過する被写体像の有効画角の範囲を示し、第１、第２位置決め用突起５８，６０は、全反射を利用する関係上、従来と同様に有効画角の範囲Ａ２、Ａ３の外側に配置されることは無論である。
【００４１】
プリズム１６のプリズム収容室５６に対する取り付けは次のようになされる。
プリズム１６の反射面１６０４をプリズム収容室５６の第１の壁面５６０２に臨ませるとともに、出射面１６０６を第２の壁面５６０４に臨ませ、かつ、各端面１６０８を各第３の壁面５６０６に臨ませた状態で、プリズム１６をプリズム収容室５６内に挿入する。
そして、プリズム１６の反射面１６０４を３つの第１位置決め用突起５８に当て付けるとともに、出射面１６０６を２つの第２位置決め用突起６０に当て付け、さらに、２つの端面１６０８のうちの一方あるいは双方の端面１６０８をそれに臨む第３の突起６２に当て付けて位置決めを行う。
この位置決めがなされた状態で、各第３の壁面５６０６の孔５６０７から第３の壁面５６０６と各端面１６０８の間に紫外線硬化型接着剤を充填し、充填された紫外線硬化型接着剤に紫外線を照射することで硬化させる。これにより２つの端面１６０８がそれぞれ第３の壁面５６０６に接着剤で接着され、プリズム１６がプリズム収容室５６に取着される。
【００４２】
本実施例によれば、プリズム１６を第１の第１の面Ｐ１に対して直交する方向に偏位して配置し、３つの第１位置決め用突起５８のうちの２つの突起５８を、偏位された側のプリズム外面１６０４Ａの外縁部で第１の光路の延在方向に沿った両端箇所に配置し、３つの第１位置決め用突起５８のうちの残りの１つの突起５８を、偏位された側とは反対の側のプリズム外面１６０４Ａの外縁部で第１の光路の延在方向に沿った中間箇所に配置したので、プリズム外面１６０４Ａにおいてプリズム１６を安定した状態で位置決めできることは無論のこと、図２に示すように、３つの第１位置決め用突起５８を含むプリズム収容室５６の前後方向の寸法を短縮でき、撮像装置の前後方向の厚さをコンパクト化することが可能となる。
【実施例２】
【００４３】
次に実施例２について説明する。
実施例２が実施例１と異なるのは、第１位置決め用突起５８と第２位置決め用突起６０の配置位置である。
図６は実施例２におけるプリズム収容室の説明図で、中央の図が断面図であり、左側の図が正面図を示し、右上側の図が斜め後方から見た図であり、下側の図が底面図である。なお、以下では、実施例１と同様な箇所、部材に同一の符号を付して説明する。
図６に示すように、実施例１と同様に、３つの第１位置決め用突起５８のうちの残りの１つの突起５８は、偏位された側とは反対の側のプリズム外面１６０４Ａの外縁部で第１の光路の延在方向に沿った中間箇所に当接するように配置されているが、実施例２では、前記残りの１つの突起５８はプリズム外面１６０４Ａの外縁部の延在方向の中心箇所に当接するように配置されている。
また、２つの第２位置決め用突起６０のうちの他方の突起６０Ｂは、実施例１と同様に、プリズム１６が偏位された側とは反対側の第２の壁面５６０６の外縁部で第１の光路の延在方向に沿った外縁部の両端のうちの一方の端部から第１の光路の延在方向に沿って延在しその先部が、偏位された側とは反対の側の出射面１６０６の外縁部で第１の光路の延在方向に沿った中間箇所に当接する突条として設けられているが、実施例２では、他方の突起６０Ｂの先部はプリズム１６の入射面１６０２寄りの箇所まで延在されている。
このような構成によれば実施例１と同様の効果を奏することは無論のこと、３つの第１位置決め用突起５８のうちの残りの１つの突起５８がプリズム外面１６０４Ａの外縁部の延在方向の中心箇所に当接するように配置されるとともに、２つの第２位置決め用突起６０のうち他方の突起６０Ｂの先部がプリズム１６の入射面１６０２寄りの箇所まで延在されているため、実施例１に比較してプリズム収容室５６によるプリズム１６０４の保持をより一層安定させる上で有利となる。
【実施例３】
【００４４】
次に実施例３について説明する。
実施例３が実施例１，２と異なるのは、第２位置決め用突起６０の形状である。
図７は実施例３におけるプリズム収容室の説明図で、中央の図が断面図であり、左側の図が正面図を示し、右上側の図が斜め後方から見た図であり、下側の図が底面図である。
図７に示すように、実施例２と同様に３つの第１位置決め用突起５８が設けられているが、実施例１、２と異なり、２つの第２位置決め用突起６０は凸条ではなく突起として形成されている。
２つの第２位置決め用突起６０のうちの一方の突起６０Ａは、偏位された側の出射面１６０４の外縁部で第１の光路の延在方向に沿った端部箇所に当接するように配置されている。
２つの第２位置決め用突起６０のうちの他方の突起６０Ｂは、偏位された側とは反対の側の出射面１６０４の外縁部で第１の光路の延在方向に沿った中間箇所に当接するように配置されている。
このような構成によれば実施例２と同様の効果を奏することは無論のこと、２つの第２位置決め用突起６０を結ぶ直線にプリズム１６の重心を通る垂線が交差するように配置することにより、実施例２に比較してプリズム収容室５６によるプリズム１６０４の保持をさらに一層安定させる上で有利となる。
【００４５】
なお、本実施例においては、撮像装置としてデジタルスチルカメラを例示したが、本発明はビデオカメラやテレビカメラなど撮像装置に無論適用可能である。
【図面の簡単な説明】
【００４６】
【図１】プリズム収容室の斜視図である。
【図２】プリズム収容室の説明図で、中央の図が断面図であり、左側の図が正面図を示し、右上側の図が斜め後方から見た図であり、下側の図が底面図である。
【図３】プリズム収容室の断面図である。
【図４】図３のＡ矢視図である。
【図５】図３のＢＢ線断面図である。
【図６】実施例２におけるプリズム収容室の説明図で、中央の図が断面図であり、左側の図が正面図を示し、右上側の図が斜め後方から見た図であり、下側の図が底面図である。
【図７】実施例２におけるプリズム収容室の説明図で、中央の図が断面図であり、左側の図が正面図を示し、右上側の図が斜め後方から見た図であり、下側の図が底面図である。
【図８】撮像装置を前方から見た斜視図である。
【図９】撮像装置の正面図である。
【図１０】撮像装置の背面図である。
【図１１】撮像装置の平面図である。
【図１２】撮像装置の制御系を示すブロック図である。
【図１３】レンズ鏡筒１０を前方から見た斜視図である。
【図１４】レンズ鏡筒１０を後方の下方から見た斜視図である。
【図１５】レンズ鏡筒１０の正面図である。
【図１６】レンズ鏡筒１０の背面図である。
【図１７】（Ａ）は図１５のＡ矢視図、（Ｂ）は図１５のＢ矢視図である。
【図１８】（Ｃ）は図１５のＣ矢視図、（Ｄ）は図１５のＤ矢視図である。
【図１９】図１３のＡＡ線断面図である。
【図２０】図１３のＢＢ線断面図である。
【図２１】レンズ鏡筒１０の一部の構成を示す分解斜視図である。
【図２２】レンズ鏡筒１０の残りの構成を示す分解斜視図である。
【図２３】ズーム用可動レンズ群１８、フォーカス用可動レンズ群２０の斜視図である。
【図２４】軸受け部材を上方から見た斜視図である。
【図２５】軸受け部材を下方から見た斜視図である。
【図２６】（Ａ）は軸受け部材の平面図、（Ｂ）は（Ａ）のＢＢ線断面図、（Ｃ）は（Ｂ）のＣ矢視図である。
【図２７】（Ａ）〜（Ｄ）は軸受け部材の説明図で、上側の図が断面図を示し、下側の図が底面図である。
【図２８】レンズ鏡筒の一部を破断した斜視図である。
【図２９】孔部の斜視図である。
【図３０】軸受け部材が孔部に収容された状態を示す斜視図である。
【図３１】軸受け部材が孔部に収容された状態を示す断面図である。
【図３２】メインガイド軸３８の傾きの調整操作の説明図である。
【図３３】メインガイド軸３８の傾きの調整操作の説明図である。
【符号の説明】
【００４７】
１００……撮像装置、１０４……光学系、１０……レンズ鏡筒、１２……鏡筒、１４……対物レンズ、１５０……撮像素子、１６……プリズム、１６０４……反射面、１６０４Ａ……プリズム外面、５６……プリズム収容室、５６０２……第１の壁面、５８……３つの第１位置決め用突起、Ｐ１……第１の面。
【図１】
2006227234.tif 000003
【図２】
2006227234.tif 000004
【図３】
2006227234.tif 000005
【図４】
2006227234.tif 000006
【図５】
2006227234.tif 000007
【図６】
2006227234.tif 000008
【図７】
2006227234.tif 000009
【図８】
2006227234.tif 000010
【図９】
2006227234.tif 000011
【図１０】
2006227234.tif 000012
【図１１】
2006227234.tif 000013
【図１２】
2006227234.tif 000014
【図１３】
2006227234.tif 000015
【図１４】
2006227234.tif 000016
【図１５】
2006227234.tif 000017
【図１６】
2006227234.tif 000018
【図１７】
2006227234.tif 000019
【図１８】
2006227234.tif 000020
【図１９】
2006227234.tif 000021
【図２０】
2006227234.tif 000022
【図２１】
2006227234.tif 000023
【図２２】
2006227234.tif 000024
【図２３】
2006227234.tif 000025
【図２４】
2006227234.tif 000026
【図２５】
2006227234.tif 000027
【図２６】
2006227234.tif 000028
【図２７】
2006227234.tif 000029
【図２８】
2006227234.tif 000030
【図２９】
2006227234.tif 000031
【図３０】
2006227234.tif 000032
【図３１】
2006227234.tif 000033
【図３２】
2006227234.tif 000034
【図３３】
2006227234.tif 000035